(57)【要約】【課題】テーパ状の導光板と、導光板の前面側に配置されたスクリーンと、を備えるディスプレイ装置において、抜け落ちが低減された画像を表示する。【解決手段】厚さ方向の形状がテーパ状の導光板１３と、導光板１３の前面側に配置されたスクリーン１４と、を備え、プロジェクタユニット１０により投射された光を、導光板１３の幅厚側端面に入射させて、導光板１３の前面又は後面における当該幅厚側端面への当該光の入射角に対応する出射位置から出射し、導光板１３の前面から出射された光がスクリーン１４の後面に入射されて、スクリーン１４の前面に画像を表示させるディスプレイ装置１において、導光板１３の幅厚側端面に入射される光を、当該幅厚側端面における前側領域Ｒ１に入射させる状態と、当該幅厚側端面における後側領域Ｒ２に入射させる状態と、に切り替えることを特徴とするディスプレイ装置。【選択図】図２
2010243974.tif 000002
【特許請求の範囲】
【請求項１】
厚さ方向の形状がテーパ状の導光板と、前記導光板の前面側に配置されたスクリーンと、を備え、投射部により投射された光を、前記導光板の一方の端面に入射させて、当該導光板の前面又は後面における当該一方の端面への当該光の入射角に対応する出射位置から出射し、当該導光板の前面から出射された光が前記スクリーンの後面に入射されて、当該スクリーンの前面に画像を表示させるディスプレイ装置において、
前記導光板の一方の端面に入射される光を、当該一方の端面における前側領域に入射させる状態と、当該一方の端面における後側領域に入射させる状態と、に切り替える切替手段を備えることを特徴とするディスプレイ装置。
【請求項２】
請求項１に記載のディスプレイ装置において、
前記切替手段は、
前記導光板の一方の端面に入射される光を、前記前側領域に入射される光と、前記後側領域に入射される光と、に分割する分割手段と、
前記分割手段により分割された、前記前側領域に入射される光と、前記後側領域に入射される光と、のうちの何れか一方を遮断する遮断手段と、
を備え、
前記遮断手段により前記後側領域に入射される光を遮断することによって、前記前側領域に入射させる状態に切り替え、前記遮断手段により前記前側領域に入射される光を遮断することによって、前記後側領域に入射させる状態に切り替えることを特徴とするディスプレイ装置。
【請求項３】
請求項１に記載のディスプレイ装置において、
前記切替手段は、
前記導光板の一方の端面に向けて光を反射させる回動自在な反射手段と、
前記反射手段を回動させる回動駆動手段と、
を備え、
前記前側領域に向けて光を反射させるように前記回動駆動手段により前記反射手段を回動させることによって、前記前側領域に入射させる状態に切り替え、前記後側領域に向けて光を反射させるように前記回動駆動手段により前記反射手段を回動させることによって、前記後側領域に入射させる状態に切り替えることを特徴とするディスプレイ装置。
【請求項４】
請求項３に記載のディスプレイ装置において、
前記投射部を備え、
前記投射部は、ビーム状の光を供給する光源部と、前記光源部からの光を走査する走査部と、を備える光走査型プロジェクタであり、
前記切替手段は、前記走査部を備えることを特徴とするディスプレイ装置。
【請求項５】
請求項１〜４の何れか一項に記載のディスプレイ装置において、
前記導光板は、当該導光板の後面における前記出射位置に、当該後面から出射される光を当該導光板の前面側に向けて反射させるミラー面を有することを特徴とするディスプレイ装置。
【発明の詳細な説明】
【技術分野】
【０００１】
本発明は、ディスプレイ装置に関する。
【背景技術】
【０００２】
従来、テーパ状の導光板と、導光板の前面側に配置されたスクリーンと、を備え、投射部（プロジェクタ）により投射された光を、導光板を介してスクリーンの後面に入射させることにより、当該スクリーンの前面に画像を表示させるディスプレイ装置が知られている（例えば、特許文献１〜３参照）。
このようなディスプレイ装置において、投射部により投射された光は、例えば、図１９に示すように、導光板の一方の端面（幅厚側端面）に入射されて、当該導光板の前面や後面で全反射を繰り返しながら当該導光板の内部を進み、やがて当該導光板の前面や後面から出射するようになっている。
【０００３】
具体的には、導光板は、例えば、図１９に示すように、当該導光板の厚さが、当該導光板の幅厚側端面に入射された光の進行方向に向かって薄くなるテーパ状に形成されている。したがって、投射部により投射されて導光板の幅厚側端面に入射された光は、当該導光板の前面や後面で反射する度に、次の面への入射角が当該導光板のテーパ角の分だけ小さくなっていき、やがて入射角が臨界角よりも小さくなると、当該導光板の前面や後面から出射するようになっている。
【先行技術文献】
【特許文献】
【０００４】
【特許文献１】特表２００４−５１１０１６号公報
【特許文献２】特表２００４−５１４９３０号公報
【特許文献３】特表２００３−５２８３５６号公報
【発明の概要】
【発明が解決しようとする課題】
【０００５】
しかしながら、特許文献１〜３記載のディスプレイ装置（従来のディスプレイ装置）では、導光板の後面から出射した光はスクリーンに入射されないため、後面から出射した光で描画されるライン（横線）が抜け落ちたストライプ状の画像を表示してしまうという問題がある。
【０００６】
具体的に、従来のディスプレイ装置における、幅厚側端面への光の入射角と、導光板の前面から出射される光の出射位置と、の関係の一例を図２０〜図２２に示す。横軸に幅厚側端面への光の入射角を示し、縦軸に導光板の前面から出射される光の出射位置と当該導光板の前面下端との間の距離を示す。
図２０に示すように、導光板のテーパ角が１０ｄｅｇｒｅｅである場合、導光板の前面下端からの距離が４８．５ｍｍ〜８４．７ｍｍの範囲からは光が出射されないことが分かる。
また、図２１に示すように、導光板のテーパ角が５ｄｅｇｒｅｅである場合、導光板の前面下端からの距離が８９．３ｍｍ〜１２５．２ｍｍの範囲及び１４４．７ｍｍ〜１７８．９ｍｍの範囲からは光が出射されないことが分かる。
また、図２２に示すように、導光板のテーパ角が２．５ｄｅｇｒｅｅである場合、導光板の前面下端からの距離が２２７．１ｍｍ〜２６２．０ｍｍの範囲、２８１．４ｍｍ〜３１５．１ｍｍの範囲及び３３７．４ｍｍ〜３６９．９ｍｍの範囲からは光が出射されないことが分かる。
したがって、従来のディスプレイ装置では、上記範囲から出射する光で描画されるラインが抜け落ちたストライプ状の画像を表示してしまうという問題がある。
【０００７】
本発明の課題は、テーパ状の導光板と、導光板の前面側に配置されたスクリーンと、を備えるディスプレイ装置において、抜け落ちが低減された画像を表示することにある。
【課題を解決するための手段】
【０００８】
上記課題を解決するために、請求項１に記載の発明は、
厚さ方向の形状がテーパ状の導光板と、前記導光板の前面側に配置されたスクリーンと、を備え、投射部により投射された光を、前記導光板の一方の端面に入射させて、当該導光板の前面又は後面における当該一方の端面への当該光の入射角に対応する出射位置から出射し、当該導光板の前面から出射された光が前記スクリーンの後面に入射されて、当該スクリーンの前面に画像を表示させるディスプレイ装置において、
前記導光板の一方の端面に入射される光を、当該一方の端面における前側領域に入射させる状態と、当該一方の端面における後側領域に入射させる状態と、に切り替える切替手段を備えることを特徴とする。
【０００９】
請求項２に記載の発明は、
請求項１に記載のディスプレイ装置において、
前記切替手段は、
前記導光板の一方の端面に入射される光を、前記前側領域に入射される光と、前記後側領域に入射される光と、に分割する分割手段と、
前記分割手段により分割された、前記前側領域に入射される光と、前記後側領域に入射される光と、のうちの何れか一方を遮断する遮断手段と、
を備え、
前記遮断手段により前記後側領域に入射される光を遮断することによって、前記前側領域に入射させる状態に切り替え、前記遮断手段により前記前側領域に入射される光を遮断することによって、前記後側領域に入射させる状態に切り替えることを特徴とする。
【００１０】
請求項３に記載の発明は、
請求項１に記載のディスプレイ装置において、
前記切替手段は、
前記導光板の一方の端面に向けて光を反射させる回動自在な反射手段と、
前記反射手段を回動させる回動駆動手段と、
を備え、
前記前側領域に向けて光を反射させるように前記回動駆動手段により前記反射手段を回動させることによって、前記前側領域に入射させる状態に切り替え、前記後側領域に向けて光を反射させるように前記回動駆動手段により前記反射手段を回動させることによって、前記後側領域に入射させる状態に切り替えることを特徴とする。
【００１１】
請求項４に記載の発明は、
請求項３に記載のディスプレイ装置において、
前記投射部を備え、
前記投射部は、ビーム状の光を供給する光源部と、前記光源部からの光を走査する走査部と、を備える光走査型プロジェクタであり、
前記切替手段は、前記走査部を備えることを特徴とする。
【００１２】
請求項５に記載の発明は、
請求項１〜４の何れか一項に記載のディスプレイ装置において、
前記導光板は、当該導光板の後面における前記出射位置に、当該後面から出射される光を当該導光板の前面側に向けて反射させるミラー面を有することを特徴とする。
【発明の効果】
【００１３】
本発明によれば、厚さ方向の形状がテーパ状の導光板と、導光板の前面側に配置されたスクリーンと、を備え、投射部により投射された光を、導光板の一方の端面に入射させて、当該導光板の前面又は後面における当該一方の端面への当該光の入射角に対応する出射位置から出射し、当該導光板の前面から出射された光がスクリーンの後面に入射されて、当該スクリーンの前面に画像を表示させるディスプレイ装置において、導光板の一方の端面に入射される光を、当該一方の端面における前側領域に入射させる状態と、当該一方の端面における後側領域に入射させる状態と、に切り替える切替手段を備えている。
すなわち、前側領域に入射される光と後側領域に入射される光とでは、導光板の一方の端面への光の入射角が同一であっても、出射位置が異なるため、ラインが抜け落ちる部分の少なくとも一部を補完することができ、抜け落ちが低減された画像を表示することができる。
【図面の簡単な説明】
【００１４】
【図１】第１の実施の形態のディスプレイ装置の構成の一例を示す正面斜視図である。
【図２】第１の実施の形態のディスプレイ装置の構成の一例を示す側面断面図である。
【図３】第１の実施の形態のディスプレイ装置の機能的構成の一例を示す図である。
【図４】導光板内部での光の進み方を説明するための図である。
【図５】導光板内部において導光板の前面又は後面に入射した光の進み方を説明するための図である。
【図６】テーパ角が１０ｄｅｇｒｅｅの導光板を使用して、１画面につき２回の垂直走査を行い、１回目の垂直走査では前側領域に光を入射し、２回目の垂直走査では後側領域に光を入射した場合の、幅厚側端面への入射角と、導光板の前面から出射される光の出射位置と、の関係の一例を示す図である。
【図７】テーパ角が５ｄｅｇｒｅｅの導光板を使用して、１画面につき２回の垂直走査を行い、１回目の垂直走査では前側領域に光を入射し、２回目の垂直走査では後側領域に光を入射した場合の、幅厚側端面への入射角と、導光板の前面から出射される光の出射位置と、の関係の一例を示す図である。
【図８】テーパ角が２．５ｄｅｇｒｅｅの導光板を使用して、１画面につき２回の垂直走査を行い、１回目の垂直走査では前側領域に光を入射し、２回目の垂直走査では後側領域に光を入射した場合の、幅厚側端面への入射角と、導光板の前面から出射される光の出射位置と、の関係の一例を示す図である。
【図９】後面にミラー面を有する導光板（テーパ角は１０ｄｅｇｒｅｅ）を使用して、１画面につき２回の垂直走査を行い、１回目の垂直走査では前側領域に光を入射し、２回目の垂直走査では後側領域に光を入射した場合の、幅厚側端面への入射角と、導光板の前面から出射される光の出射位置と、の関係の一例を示す図である。
【図１０】後面にミラー面を有する導光板（テーパ角は５ｄｅｇｒｅｅ）を使用して、１画面につき２回の垂直走査を行い、１回目の垂直走査では前側領域に光を入射し、２回目の垂直走査では後側領域に光を入射した場合の、幅厚側端面への入射角と、導光板の前面から出射される光の出射位置と、の関係の一例を示す図である。
【図１１】後面にミラー面を有する導光板（テーパ角は２．５ｄｅｇｒｅｅ）を使用して、１画面につき２回の垂直走査を行い、１回目の垂直走査では前側領域に光を入射し、２回目の垂直走査では後側領域に光を入射した場合の、幅厚側端面への入射角と、導光板の前面から出射される光の出射位置と、の関係の一例を示す図である。
【図１２】第１の実施の形態のディスプレイ装置における光路の一例を説明するための側面断面図である。
【図１３】第１の実施の形態のディスプレイ装置における光路の一例を説明するための側面断面図である。
【図１４】第２の実施の形態のディスプレイ装置の構成の一例を示す図であって、光路の一例を説明するための側面断面図である。
【図１５】第２の実施の形態のディスプレイ装置の構成の一例を示す図であって、光路の一例を説明するための側面断面図である。
【図１６】第２の実施の形態のディスプレイ装置の機能的構成の一例を示す図である。
【図１７】導光板内部での光の進み方を説明するための図である。
【図１８】第２の実施の形態のディスプレイにおける、幅厚側端面への入射角と、導光板の前面から出射される光の出射位置と、の関係の一例を示す図である。
【図１９】導光板内部での光の進み方を説明するための図である。
【図２０】従来のディスプレイ装置（導光板のテーパ角は１０ｄｅｇｒｅｅ）における、幅厚側端面への入射角と、導光板の前面から出射される光の出射位置と、の関係の一例を示す図である。
【図２１】従来のディスプレイ装置（導光板のテーパ角は５ｄｅｇｒｅｅ）における、幅厚側端面への入射角と、導光板の前面から出射される光の出射位置と、の関係の一例を示す図である。
【図２２】従来のディスプレイ装置（導光板のテーパ角は２．５ｄｅｇｒｅｅ）における、幅厚側端面への入射角と、導光板の前面から出射される光の出射位置と、の関係の一例を示す図である。
【発明を実施するための形態】
【００１５】
以下、図を参照して、本発明を実施するための最良の形態を詳細に説明する。なお、発明の範囲は、図示例に限定されない。
【００１６】
［第１の実施の形態］
まず、第１の実施の形態におけるディスプレイ装置１について説明する。
なお、以下の説明では、ディスプレイ装置１において、ディスプレイ装置１を使用する際に上になる側を上側、下になる側を下側とし、スクリーン１４が配置された側を前側、スクリーン１４が配置された側と対向する側を後側、上下方向と前後方向との双方に直交する側を左右方向とする。
また、図面では、光路は破線及び一点鎖線で示し、筐体１ａは仮想線（二点鎖線）で示している。
【００１７】
ディスプレイ装置１は、光を投射する投射部としてのプロジェクタユニット１０と、厚さ方向（前後方向）の形状がテーパ状の導光板１３と、導光板１３の前面側に配置された透過型のスクリーン１４と、を備え、プロジェクタユニット１０により投射された光を、導光板１３を介してスクリーン１４の背面（後面）に入射させることにより、スクリーン１４の表面（前面）に画像を表示させる画像表示装置である。
具体的には、ディスプレイ装置１は、例えば、図１〜図３に示すように、外形略直方体形状の筐体１ａと、筐体１ａの正面（前面）に取り付けられたスクリーン１４と、筐体１ａの内部におけるスクリーン１４の後面側に配置された導光板１３と、筐体１ａの正面におけるスクリーン１４よりも下側に着脱自在に取り付けられたプロジェクタユニット１０と、筐体１ａの内部における、導光板１３と筐体１ａに装着されたプロジェクタユニット１０との間に配置された光分割部１１及びシャッター部１２と、筐体１ａの内部に配置され、ディスプレイ装置１を構成する各部を制御する制御部１５と、等を備えて構成される。
【００１８】
ディスプレイ装置１において、筐体１ａに装着されたプロジェクタユニット１０により投射された光は、例えば、図２に示すように、光分割部１１及びシャッター部１２を介して導光板１３の一方の端面（例えば、幅厚側端面）に入射される。次いで、導光板１３の前面や後面で反射を繰り返しながら導光板１３の内部を進み、やがて導光板１３の前面又は後面から出射する。そして、導光板１３の前面から出射された光がスクリーン１４の後面に入射されて、スクリーン１４の前面に画像を表示させる。
【００１９】
ここで、導光板内部での光の進み方について、図４及び図５を参照して説明する。なお、ディスプレイ装置１が備える導光板１３は、後述するように、後面がミラー面１３１であるが、図４及び図５に示す導光板は、後面がミラー面１３１でない点のみがディスプレイ装置１が備える導光板１３と異なる。
まず、図４に示すように、導光板の前面と後面とがなす角を「テーパ角」という。また、導光板の幅厚側端面に入射する光の入射方向と、当該幅厚側端面の法線と、がなす角を「幅厚側端面への（光の）入射角」という。また、導光板の幅厚側端面における前側の領域を「前側領域Ｒ１」、後側の領域を「後側領域Ｒ２」という。
また、導光板の前面又は後面における光が出射される位置を「出射位置」という。出射位置は、幅厚側端面への光の入射角の関数であり、幅厚側端面に入射した光は、当該幅厚側端面への入射角に対応する出射位置から出射する。したがって、幅厚側端面への入射角を制御することによって、出射位置を制御することができる。
【００２０】
導光板の幅厚側端面に入射した光は、例えば、図４に示すように、まず、導光板内部を通って、導光板の前面（導光板の前面と大気との界面）に入射する。このとき、図５に示すように、導光板前面への入射角が臨界角（θ２）である場合は、導光板の前面に沿って移動する。また、入射角がθ２よりも小さい角（例えば、θ３）である場合は、導光板の前面から出射する。また、入射角がθ２よりも大きい角（例えば、θ１）である場合は、導光板の前面で全反射して、導光板の後面（導光板の後面と大気との界面）に入射する。そして、全反射を繰り返しながら、幅厚側（下側）から幅狭側（上側）に向かって進む。
導光板は、厚さ方向の形状がテーパ状（すなわち、当該導光板の厚さが、当該導光板の幅厚側端面に入射された光の進行方向に向かって薄くなるテーパ状）に形成されている。したがって、導光板の幅厚側端面に入射された光は、当該導光板の前面や後面で全反射する度に、次の面への入射角が当該導光板のテーパ角の分だけ小さくなっていき、やがて入射角が臨界角よりも小さくなると、当該導光板の前面や後面から出射するようになっている。
【００２１】
すなわち、導光板前面への光の入射角が臨界角よりも小さい場合に、当該光は前面から出射し、導光板後面への光の入射角が臨界角よりも小さい場合に、当該光は後面から出射する。しかしながら、スクリーンは、導光板の前面側に配置されているため、導光板後面から出射した光は、スクリーンに入射されない。したがって、これでは、導光板後面から出射した光で描画されるライン（横線）が抜け落ちたストライプ状の画像を表示してしまうことになる。
【００２２】
そこで、１画面につき２回の垂直走査を行い、１回目の垂直走査では前側領域Ｒ１に光を入射し、２回目の垂直走査では後側領域Ｒ２に光を入射することによって、抜け落ち部分の少なくとも一部を補完することとする。
ここで、幅厚側端面に入射された光は、例えば、図４に示すように、まず、導光板の前面に入射するが、前側領域Ｒ１よりも後側領域Ｒ２の方が導光板の前面から遠い。したがって、前側領域Ｒ１における幅厚側端面への入射角と、後側領域Ｒ２における幅厚側端面への入射角と、が同一であっても、前側領域Ｒ１に光を入射する場合と、後側領域Ｒ２に光を入射する場合と、で導光板前面への最初の入射位置は異なる。したがって、幅厚側端面への入射角が同一であっても、出射位置が異なるため、抜け落ち部分の少なくとも一部を補完することができる。
【００２３】
具体的に、１画面につき２回の垂直走査を行い、１回目の垂直走査では前側領域Ｒ１に光を入射し、２回目の垂直走査では後側領域Ｒ２に光を入射した場合の、幅厚側端面への入射角と、導光板の前面から出射される光の出射位置と、の関係の一例を図６〜図８に示す。
図６に示すように、導光板のテーパ角が１０ｄｅｇｒｅｅである場合、光が出射されない範囲は４８．５ｍｍ〜５７．７ｍｍの範囲及び６５．７ｍｍ〜８４．７ｍｍの範囲であり、図２０に示す抜け落ち部分の一部が、後側領域Ｒ２に入射した光の出射（すなわち、２回目の垂直走査）で補完されて、光が出射されない範囲が狭まっていることが分かる。
また、図７に示すように、導光板のテーパ角が５ｄｅｇｒｅｅである場合、光が出射されない範囲は８９．３ｍｍ〜１０４．４ｍｍの範囲、１０６．７ｍｍ〜１２５．２ｍｍの範囲及び１６１．６ｍｍ〜１７８．９ｍｍの範囲であり、図２１に示す抜け落ち部分の一部が、後側領域Ｒ２に入射した光の出射で補完されて、光が出射されない範囲が狭まっていることが分かる。
また、図８に示すように、導光板のテーパ角が２．５ｄｅｇｒｅｅである場合、光が出射されない範囲は２４４．３ｍｍ〜２６２．０ｍｍの範囲、２９８．３ｍｍ〜３１５．１ｍｍの範囲及び３５３．９ｍｍ及び３６９．９ｍｍの範囲であり、図２２に示す抜け落ち部分の一部が、後側領域Ｒ２に入射した光の出射で補完されて、光が出射されない範囲が狭まっていることが分かる。
しかしながら、導光板のテーパ角が２．５ｄｅｇｒｅｅ、５ｄｅｇｒｅｅ及び１０ｄｅｇｒｅｅの場合は、１画面につき２回の垂直走査を行い、１回目の垂直走査では前側領域Ｒ１に光を入射し、２回目の垂直走査では後側領域Ｒ２に光を入射するだけでは、抜け落ち部分を十分に補完できず、上記範囲から出射する光で描画されるラインが抜け落ちたストライプ状の画像を表示してしまう。
【００２４】
そこで、導光板の後面をミラー面１３１にすることによって、抜け落ち部分をさらに補完することとする。
導光板の後面をミラー面１３１にすると、当該後面から出射する光を、ミラー面１３１により強制的に導光板の前面側に向けて反射させて、導光板の前面から出射させることができるため、抜け落ち部分の少なくとも一部を補完することができる。
【００２５】
具体的に、後面がミラー面１３１である導光板（ディスプレイ装置１が備える導光板１３）を使用して、１画面につき２回の垂直走査を行い、１回目の垂直走査では前側領域Ｒ１に光を入射し、２回目の垂直走査では後側領域Ｒ２に光を入射した場合の、幅厚側端面への入射角と、導光板の前面から出射される光の出射位置と、の関係の一例を図９〜図１１に示す。
図９に示すように、導光板のテーパ角が１０ｄｅｇｒｅｅである場合、光が出射されない範囲は４８．５ｍｍ〜５７．７ｍｍの範囲であり、図６と比較して、前側領域Ｒ１に入射した光の出射位置の範囲も、後側領域Ｒ２に入射した光の出射位置の範囲も広くなることにより抜け落ち部分の一部が補完されて、光が出射されない範囲が狭まっていることが分かる。
図１０に示すように、導光板のテーパ角が５ｄｅｇｒｅｅである場合、光が出射されない範囲は８９．３ｍｍ〜１０４．４ｍｍの範囲であり、図７と比較して、前側領域Ｒ１に入射した光の出射位置の範囲も、後側領域Ｒ２に入射した光の出射位置の範囲も広くなることにより抜け落ち部分の一部が補完されて、光が出射されない範囲が狭まっていることが分かる。
図１１に示すように、導光板のテーパ角が２．５ｄｅｇｒｅｅである場合、図８と比較して、前側領域Ｒ１に入射した光の出射位置の範囲も、後側領域Ｒ２に入射した光の出射位置の範囲も広くなることにより抜け落ち部分が補完されて、光が出射されない範囲が消滅することが分かる。
【００２６】
図６〜図１１に示す関係から、好適なテーパ角を有し、かつ、後面がミラー面１３１である導光板１３を使用し、そして、プロジェクタユニット１０により１画面につき２回の垂直走査を行い、１回目の垂直走査では前側領域Ｒ１に光を入射し、２回目の垂直走査では後側領域Ｒ２に光を入射することによって、抜け落ちのない画像を表示できることが分かった。
したがって、従来のディスプレイ装置（プロジェクタユニットとして光走査型プロジェクタを備えるディスプレイ装置）は、一般的に、１回の垂直走査を行っている間に複数回の水平走査を行って１画面分の画像を描画する（すなわち、１画面につき１回の垂直走査を行う）が、本発明のディスプレイ装置では、１画面につき２回の垂直走査を行い、１回目の垂直走査では前側領域Ｒ１に光を入射して、１画面分の画像を描画し、２回目の垂直走査では後側領域Ｒ２に光を入射して、１回目の垂直走査で抜け落ちた部分の少なくとも一部を補完することとする。
【００２７】
プロジェクタユニット１０は、光を投射する携帯型の光走査型プロジェクタである。プロジェクタユニット１０は、例えば、筐体１ａに装着されていない場合、不透過性のスクリーンの表面に光を投射して当該スクリーンの表面に画像を表示するフロントプロジェクタとしても使用することができる。
具体的には、プロジェクタユニット１０は、例えば、図１〜図３に示すように、携帯可能なペン型形状のケース１０ａと、ケース１０ａの内部に配置され、ビーム状の光を供給する光源部１０１と、ケース１０ａの内部に配置され、光源部１０１からの光を走査する走査部１０２と、ケース１０ａの内部に配置され、プロジェクタユニット１０を構成する各部を制御するプロジェクタ用制御部１０３と、等を備えて構成される。
ディスプレイ装置１の筐体１ａの正面下側略中央部にはプロジェクタユニット１０の光出射側が挿入自在な開口部が設けられており、プロジェクタユニット１０は、光出射側が開口部に挿入されることによって、筐体１ａに装着される。そして、プロジェクタユニット１０が装着されると、プロジェクタ用制御部１０３は、ディスプレイ装置１の制御部１５と接続されるようになっている。
【００２８】
光源部１０１は、プロジェクタ用制御部１０３から入力される制御信号に従って、ビーム状の光である赤色レーザ光、緑色レーザ光及び青色レーザ光を、それぞれ画像信号に応じて変調して供給する。光源部１０１からの光（レーザ光）は、走査部１０２に入射される。
ここで、画像信号は、例えば、プロジェクタユニット１０が備えるメモリ部（図示省略）が記憶している画像信号であっても良いし、プロジェクタユニット１０と接続する外部機器（図示省略）から供給された画像信号であっても良い。
【００２９】
走査部１０２は、プロジェクタ用制御部１０３から入力される制御信号に従って、光源部１０１からの光を、互いに直交する２軸方向に走査する。
具体的には、走査部１０２は、例えば、左右方向及び上下方向に回動自在な反射ミラー１０２ａと、反射ミラー１０２ａを回動させる回動駆動部１０２ｂと、等を備えて構成されている。走査部１０２は、回動駆動部１０２ｂにより画像信号に応じて反射ミラー１０２ａを回動させることによって、光源部１０１からの光を走査する。プロジェクタユニット１０のケース１０ａの光出射側上面には、投影レンズ（図示省略）が嵌装された開口が設けられており、走査部１０２からの光（レーザ光）は、その投影レンズを介して、プロジェクタユニット１０の外部に向けて出射（投射）される。そして、プロジェクタユニット１０からの光（レーザ光）は、プロジェクタユニット１０が筐体１ａに装着されている場合は、光分割部１１のハーフミラー面１１１に入射される。
【００３０】
プロジェクタ用制御部１０３は、ＣＰＵ（Central Processing Unit）、ＲＡＭ（Random Access Memory）と、記憶部と、等を備えて構成され、プロジェクタユニット１０を構成する各部の動作を集中制御する。
【００３１】
具体的には、プロジェクタ用制御部１０３は、光源部１０１及び走査部１０２を制御して、プロジェクタユニット１が筐体１ａに装着されている場合は、１画面につき２回の垂直走査を行わせる。
より具体的には、プロジェクタ用制御部１０３は、例えば、プロジェクタ用制御部１０３内の記憶部等に、１回目の垂直走査で抜け落ちる部分に関する抜け落ち部分情報を予め記憶しておく。そして、１回目の垂直走査の際は、当該抜け落ち部分情報に基づいて、１回目の垂直走査で抜け落ちる部分以外の部分に対応する画像信号（行データ）を抽出し、当該抽出した画像信号に基づいて、光源部１０１及び走査部１０２（回動駆動部１０２ｂ）を制御する。次いで、２回目の垂直走査の際は、当該抜け落ち部分情報に基づいて、１回目の垂直走査で抜け落ちる部分に対応する画像信号（行データ）を抽出し、当該抽出した画像信号に基づいて、光源部１０１及び走査部１０２（回動駆動部１０２ｂ）を制御する。
【００３２】
光分割部１１は、分割手段として、導光板１３の幅厚側端面に入射される光を、前側領域Ｒ１に入射される光と、後側領域Ｒ２に入射される光と、に分割する。
具体的には、光分割部１１は、例えば、シャッター部１２を介して導光板１３の幅厚側端面と対向するように配置され、前側領域Ｒ１と対向する部分にハーフミラー面１１１を有するとともに、後側領域Ｒ２と対向する部分に反射面１１２を有するプリズムにより構成される。
【００３３】
ここで、筐体１ａに装着されたプロジェクタユニット１０は、プロジェクタユニット１０により投射された光が、光分割部１１のハーフミラー面１１１に入射される位置に配置される。そして、プロジェクタユニット１０により投射されて、ハーフミラー面１１１に入射された光は、その半分が、ハーフミラー面１１１を透過して、シャッター部１２の第１シャッター１２１に入射されるようになっている。また、残りの半分が、ハーフミラー面１１１によって反射面１１２に向けて反射され、次いで、反射面１１２によってシャッター部１２の第２シャッター１２２に向けて反射されて、第２シャッター１２２に入射されるようになっている。
【００３４】
シャッター部１２は、制御部１５から入力される制御信号に従って、遮断手段として、光分割部１１により分割された、前側領域Ｒ１に入射される光と、後側領域Ｒ２に入射される光と、のうちの何れか一方を遮断する。
具体的には、シャッター部１２は、例えば、導光板１３の幅厚側端面と対向するように配置され、前側領域Ｒ１と対向する部分に前側領域Ｒ１に入射される光を遮断するための第１シャッター１２１を有するとともに、後側領域Ｒ２と対向する部分に後側領域Ｒ２に入射される光を遮断するための第２シャッター１２２を有している。
ここで、第１シャッター１２１及び第２シャッター１２２はそれぞれ、例えば、一対の配向膜と、一対の配向膜の間に封入された液晶からなる液晶層と、一対の配向膜の外側に配置された一対の透明電極と、一対の透明電極の外側に配置された一対のガラス基板と、一対ガラス基板の外側に配置された一対の偏光板と、により構成される液晶シャッターである。
【００３５】
導光板１３は、第１シャッター１２１を通過して前側領域Ｒ１に入射された光、或いは、第２シャッター１２２を通過して後側領域Ｒ２に入射された光を、前面や後面で反射することにより導光して、所定の出射位置からそれぞれ出射させるためのものである。
導光板１３は、導光板１３の後面に、当該後面から出射される光を導光板１３の前面側に向けて反射させるミラー面１３１を有している。これにより、導光板１３の後面から出射する光を、ミラー面１３１により強制的に導光板１３の前面側に向けて反射させて、導光板１３の前面から出射させることができるため、ミラー面１３１を有していない場合と比較して、導光板１３の前面における光が出射されない範囲を狭くすることができる。
【００３６】
スクリーン１４は、導光板１３の前面から出射してスクリーン１４の後面に入射された光を透過して、スクリーン１４の前面から出射することにより、スクリーン１４の前面に画像を表示させるためのものである。
【００３７】
制御部１５は、ＣＰＵ、ＲＡＭと、記憶部と、等を備えて構成され、ディスプレイ装置１を構成する各部の動作を集中制御する。
【００３８】
具体的には、制御部１５は、プロジェクタユニット１０による光の投射（走査）に同期して、シャッター部１２を制御し、導光板１３の幅厚側端面に入射される光を、前側領域Ｒ１に入射させる状態と、後側領域Ｒ２に入射させる状態と、に切り替える。
より具体的には、筐体１ａにプロジェクタユニット１０が装着されると、プロジェクタ用制御部１０３から制御部１５に対して、１回目の垂直走査を行っているか、２回目の垂直走査を行っているか、を識別するための識別信号が入力される。そして、制御部１５は、当該識別信号に基づきシャッター部１２を制御して、プロジェクタユニット１０が１回目の垂直走査を行っている間は、例えば、図１２に示すように、光分割部１１の反射面１１２で反射された光（すなわち、後側領域Ｒ２に入射される光）を遮断させることによって、前側領域Ｒ１のみに光を入射させる状態に切り替え、プロジェクタユニット１０が２回目の垂直走査を行っている間は、例えば、図１３に示すように、光分割部１１のハーフミラー面１１１を透過した光（すなわち、前側領域Ｒ１に入射される光）を遮断させることによって、後側領域Ｒ２のみに光を入射させる状態に切り替える。
【００３９】
ここで、導光板１３の幅厚側端面に入射される光を、前側領域Ｒ１に入射させる状態と、後側領域Ｒ２に入射させる状態と、に切り替える切替手段は、光分割部１１と、シャッター部１２と、制御部１５と、により構成される。
【００４０】
以上説明した第１の実施の形態におけるディスプレイ装置１によれば、導光板１３の幅厚側端面に入射される光を、前側領域Ｒ１に入射させる状態と、後側領域Ｒ２に入射させる状態と、に切り替えるようになっている。
具体的には、導光板１３の幅厚側端面に入射される光を、前側領域Ｒ１に入射される光と、後側領域Ｒ２に入射される光と、に分割する光分割部１１と、光分割部１１により分割された、前側領域Ｒ１に入射される光と、後側領域Ｒ２に入射される光と、のうちの何れか一方を遮断するシャッター部１２と、を備え、シャッター部１２により後側領域Ｒ２に入射される光を遮断することによって、前側領域Ｒ１に入射させる状態に切り替え、シャッター部１２により前側領域Ｒ１に入射される光を遮断することによって、後側領域Ｒ２に入射させる状態に切り替えるようになっている。
すなわち、前側領域Ｒ１に入射される光と後側領域Ｒ２に入射される光とでは、幅厚側端面への入射角が同一であっても、出射位置が異なるため、ラインが抜け落ちる部分の少なくとも一部を補完することができ、抜け落ちが低減された画像を表示することができる。
【００４１】
また、以上説明した第１の実施の形態におけるディスプレイ装置１によれば、導光板１３は、導光板１３の後面に、当該後面から出射される光を導光板１３の前面側に向けて反射させるミラー面１３１を有している。
すなわち、導光板１３の後面から出射する光を、ミラー面１３１により強制的に導光板１３の前面側に向けて反射させて、導光板１３の前面から出射させることができるため、ラインが抜け落ちる部分の補完を効率よく行うことができる。
【００４２】
また、以上説明した第１の実施の形態におけるディスプレイ装置１によれば、プロジェクタユニット１０は、ビーム状の光を供給する光源部１０１と、光源部１０１からの光を走査する走査部１０２と、を備える光走査型プロジェクタであり、筐体１ａに着脱自在である。
したがって、光源や液晶パネルなどを備える液晶プロジェクタ、光源やＤＭＤ（Digital Micromirror Device）などを備えるＤＬＰ（Digital Light Processing）プロジェクタ等と比較して、プロジェクタユニット１０は、構成が簡易であり、小型化が容易であるため、携帯し易く、使い勝手が良い。
【００４３】
［第２の実施の形態］
次に、第２の実施の形態におけるディスプレイ装置２について説明する。
なお、第２の実施の形態のディスプレイ装置２は、導光板２３の幅厚側端面に入射される光を、当該幅厚側端面における前側領域Ｒ１に入射させる状態と、当該幅厚側端面における後側領域Ｒ２に入射させる状態と、に切り替える手法が、第１の実施の形態のディスプレイ装置１と異なる。
具体的には、第１の実施の形態のディスプレイ装置１では、光分割部１１とシャッター部１２によって、導光板１３の幅厚側端面に入射される光を、前側領域Ｒ１に入射させる状態と、後側領域Ｒ２に入射させる状態と、に切り替えるようにしたが、第２の実施の形態のディスプレイ装置２では、プロジェクタユニット２０の走査部２０２によって、導光板２３の幅厚側端面に入射される光を、前側領域Ｒ１に入射させる状態と、後側領域Ｒ２に入射させる状態と、に切り替えることとする。
したがって、異なる箇所のみについて説明し、その他の共通する部分については同一符号を付して説明する。
【００４４】
ディスプレイ装置２は、例えば、図１４〜図１６に示すように、筐体１ａと、スクリーン１４と、筐体１ａの内部におけるスクリーン１４の後面側に配置された導光板２３と、筐体１ａの正面におけるスクリーン１４よりも下側に着脱自在に取り付けられたプロジェクタユニット２０と、等を備えて構成される。
ここで、導光板２３は、幅厚側端面と後面とがなす角が直角である点のみが、第１の実施の形態の導光板１３と異なる。したがって、導光板２３についての詳細な説明は省略する。
【００４５】
プロジェクタユニット２０は、光を投射する携帯型の光走査型プロジェクタである。プロジェクタユニット２０は、例えば、筐体１ａに装着されていない場合、不透過性のスクリーンの表面に光を投射して当該スクリーンの表面に画像を表示するフロントプロジェクタとしても使用することができる。
具体的には、プロジェクタユニット２０は、例えば、図１４〜図１６に示すように、ケース１０ａと、光源部１０１と、ケース１０ａの内部に配置され、光源部１０１からの光を走査する走査部２０２と、ケース１０ａの内部に配置され、プロジェクタユニット２０を構成する各部を制御するプロジェクタ用制御部２０３と、等を備えて構成される。
【００４６】
走査部２０２は、プロジェクタ用制御部２０３から入力される制御信号に従って、光源部１０１からの光を、互いに直交する２軸方向に走査する。
具体的には、走査部２０２は、例えば、左右方向及び上下方向に回動自在な反射手段としての反射ミラー２０２ａと、反射ミラー２０２ａを回動させる回動駆動手段としての回動駆動部２０２ｂと、等を備えて構成されている。走査部２０２は、回動駆動部２０２ｂにより画像信号に応じて反射ミラー２０２ａを回動させることによって、光源部１０１からの光を走査する。そして、プロジェクタユニット２０からの光（レーザ光）は、プロジェクタユニット２０が筐体１ａに装着されている場合は、導光板２３の幅厚側端面に入射される。
【００４７】
ここで、反射ミラー２０２ａは、第１の実施の形態の反射ミラー１０２ａよりも上下方向に大きく回動することができ、回動駆動部２０２ｂは、第１の実施の形態の回動駆動部１０２ｂよりも反射ミラー２０２ａを上下方向に大きく回動させることができるようになっている。
そして、筐体１ａに装着されたプロジェクタユニット２０は、反射ミラー２０２ａが上下方向に回動して前側領域Ｒ１に光を入射させる状態に切り替わっている場合（具体的には、例えば、図１４に示すように、反射ミラー２０２ａの反射面が前方を向いている場合）に、プロジェクタユニット２０により投射された光が、前側領域Ｒ１を経て導光板２３の前面に入射される位置であり、かつ、反射ミラー２０２ａが上下方向に回動して後側領域Ｒ２に光を入射させる状態に切り替わっている場合（具体的には、例えば、図１５に示すように、反射ミラー２０２ａの反射面が上方を向いている場合）に、プロジェクタユニット２０により投射された光が、後側領域Ｒ２を経て導光板２３の後面に入射される位置に配置される。
【００４８】
例えば、図１７に示すように、導光板２３の幅厚側端面の前側領域Ｒ１に入射した光は、まず、導光板２３の前面に入射する。一方、後側領域Ｒ２に入射した光は、まず、導光板２３の後面に入射して、その後、当該後面で反射されて導光板２３の前面に入射する。したがって、前側領域Ｒ１における幅厚側端面への入射角と、後側領域Ｒ２における幅厚側端面への入射角と、の絶対値が同一であっても、前側領域Ｒ１に光を入射する場合と、後側領域Ｒ２に光を入射する場合と、で導光板２３前面への最初の入射位置は異なる。したがって、幅厚側端面への入射角の絶対値が同一であっても、出射位置が異なるため、抜け落ち部分の少なくとも一部を補完することができる。
【００４９】
具体的に、後面がミラー面１３１である導光板２３を使用して、１画面につき２回の垂直走査を行い、１回目の垂直走査では前側領域Ｒ１に光を入射し、２回目の垂直走査では後側領域Ｒ２に光を入射した場合の、幅厚側端面への入射角と、導光板の前面から出射される光の出射位置と、の関係の一例を図１８に示す。
図１８においては、前側領域Ｒ１に入射した光の幅厚側端面への入射角を負として、後側領域Ｒ２に入射した光の幅厚側端面への入射角を正として示している。
図１８に示すように、導光板２３のテーパ角が２．５ｄｅｇｒｅｅである場合、前側領域Ｒ１に光を入射して１回目の垂直走査を行っただけでは、導光板２３の前面に光が出射されない部分が生じてしまうが、当該部分は、後側領域Ｒ２に光を入射して２回目の垂直走査を行うことで補完されて、消滅することが分かる。
【００５０】
図１８に示す関係から、好適なテーパ角を有し、かつ、後面がミラー面１３１である導光板２３を使用し、そして、プロジェクタユニット２０により１画面につき２回の垂直走査を行い、１回目の垂直走査では前側領域Ｒ１に光を入射し、２回目の垂直走査では後側領域Ｒ２に光を入射することによって、抜け落ちのない画像を表示できることが分かった。
したがって、第１の実施の形態のディスプレイ装置１では、反射ミラー１０２ａを、１画面につき上下方向に２回回動させることによって、２回の垂直走査を行うようにしたが、第２の実施の形態のディスプレイ装置２では、反射ミラー２０２ａを、１画面につき上下方向に１回回動させることによって、２回の垂直走査を行うこととする。具体的には、上下方向の回動は、垂直走査を行うための回動であるが、第２の実施の形態の反射ミラー２０２ａは、第１の実施の形態の反射ミラー１０２ａよりも上下方向の大きく回動して、当該回動の前半で、光源部１０１からの光を前側領域Ｒ１に向けて反射させて、１回目の垂直走査を行って、１画面分の画像を描画し、当該回動の後半で、光源部１０１からの光を後側領域Ｒ２に向けて反射させて、２回目の垂直走査を行って、１回目の垂直走査で抜け落ちた部分の少なくとも一部を補完することとする。
【００５１】
プロジェクタ用制御部２０３は、ＣＰＵ、ＲＡＭと、記憶部と、等を備えて構成され、プロジェクタユニット２０を構成する各部の動作を集中制御する。
【００５２】
具体的には、プロジェクタ用制御部２０３は、光源部１０１及び走査部２０２を制御して、プロジェクタユニット２が筐体１ａに装着されている場合は、１画面につき２回の垂直走査を行わせる。
より具体的には、プロジェクタ用制御部２０３は、例えば、プロジェクタ用制御部２０３内の記憶部等に、１回目の垂直走査で抜け落ちる部分に関する抜け落ち部分情報を予め記憶しておく。そして、１回目の垂直走査の際は、走査部２０２（回動駆動部２０２ｂ）を制御して、例えば、図１４に示すように、前側領域Ｒ１に向けて光を反射させるように反射ミラー２０２ａを回動させることにより、前側領域Ｒ１のみに光を入射させる状態に切り替えるとともに、当該抜け落ち部分情報に基づいて、１回目の垂直走査で抜け落ちる部分以外の部分に対応する画像信号（行データ）を抽出し、当該抽出した画像信号に基づいて、光源部１０１及び走査部２０２（回動駆動部２０２ｂ）を制御する。次いで、２回目の垂直走査の際は、走査部２０２（回動駆動部２０２ｂ）を制御して、例えば、図１５に示すように、後側領域Ｒ２に向けて光を反射させるように反射ミラー２０２ａを回動させることにより、後側領域Ｒ２のみに光を入射させる状態に切り替えるとともに、当該抜け落ち部分情報に基づいて、１回目の垂直走査で抜け落ちる部分に対応する画像信号（行データ）を抽出し、当該抽出した画像信号に基づいて、光源部１０１及び走査部２０２（回動駆動部２０２ｂ）を制御する。
【００５３】
ここで、導光板２３の幅厚側端面に入射される光を、前側領域Ｒ１に入射させる状態と、後側領域Ｒ２に入射させる状態と、に切り替える切替手段は、走査部２０２と、プロジェクタ用制御部２０３と、により構成される。
【００５４】
以上説明した第２の実施の形態におけるディスプレイ装置２によれば、導光板２３の幅厚側端面に向けて光を反射させる回動自在な反射ミラー２０２ａと、反射ミラー２０２ａを回動させる回動駆動部２０２ｂと、を備え、前側領域Ｒ１に向けて光を反射させるように回動駆動部２０２ｂにより反射ミラー２０２ａを回動させることによって、前側領域Ｒ１に光を入射させる状態に切り替え、後側領域Ｒ２に向けて光を反射させるように回動駆動部２０２ｂにより反射ミラー２０２ａを回動させることによって、後側領域Ｒ２に光を入射させる状態に切り替えるようになっている。
すなわち、前側領域Ｒ１に入射される光と後側領域Ｒ２に入射される光とでは、幅厚側端面への入射角（の絶対値）が同一であっても、出射位置が異なるため、ラインが抜け落ちる部分の少なくとも一部を補完することができ、抜け落ちが低減された画像を表示することができる。
また、第１の実施の形態のディスプレイ装置１が備える光分割部１１及びシャッター部１２が必要ないため、第１の実施の形態のディスプレイ装置１に比べてコストを安くすることができる。
【００５５】
なお、本発明は、上記した実施の形態のものに限るものではなく、その要旨を逸脱しない範囲で適宜変更可能である。
【００５６】
第１の実施の形態において、導光板１３の形状やサイズは、抜け落ちが低減された画像を表示できるのであれば任意であり、スクリーン１４のサイズ等に応じて適宜任意に変更可能である。具体的には、例えば、第２の実施の形態の導光板２３のように、幅厚側端面と後面とがなす角が直角であっても良い。
また、第２の実施の形態において、導光板２３の形状やサイズは、抜け落ちが低減された画像を表示できるのであれば任意であり、スクリーン１４のサイズ等に応じて適宜任意に変更可能である。具体的には、例えば、第１の実施の形態の導光板１３のように、幅厚側端面と後面とがなす角が直角でなくても良い。
【００５７】
第１の実施の形態において、プロジェクタ用制御部１０３と、制御部１５と、の２つの制御部を備えるようにしたが、ディスプレイ装置１が備える制御部は何れか一方であっても良い。例えば、プロジェクタ用制御部１０３のみを備える場合、プロジェクタユニット１０が筐体１ａに装着されると、プロジェクタ用制御部１０３は、ディスプレイ装置１のシャッター部１２と接続されるようにすると良い。
また、第２の実施の形態において、プロジェクタ用制御部２０３のみを備えるようにしたが、ディスプレイ装置２内のプロジェクタユニット２の外部に制御部（第１の実施の形態の制御部１５のような制御部）も備えるようにしても良いし、当該制御部とプロジェクタ用制御部２０３との何れか一方を備えるようにしても良い。
【００５８】
第１及び第２の実施の形態において、導光板１３，２３は、後面にミラー面１３１を有していなくても良い。この場合、抜け落ちがより低減された画像を表示できるように、導光板の形状（テーパ角等）や、導光板とプロジェクタユニット１０，２０との間の距離などを調節すると良い。
また、第１及び第２の実施の形態において、導光板１３，２３の後面全体をミラー面１３１としたが、これに限ることはなく、導光板１３，２３は、少なくとも導光板１３，２３の後面における出射位置（後面から出射される光の出射位置）に、ミラー面１３１を有していれば良い。
【００５９】
第１及び第２の実施の形態において、プロジェクタユニット１０，２０の装着方法は、筐体１ａに設けられた開口部に光出射側を挿入するものに限るものではなく任意である。
また、プロジェクタユニット１０，２０は、光出射側上面から光を投射するものに限るものではなく、プロジェクタユニット１０，２０により投射された光が、導光板１３，２３の幅厚側端面に入射（第１の実施の形態の場合は、光分割部１１及びシャッター部１２を介して幅厚側端面に入射）されるのであれば、例えば、光出射側先端（図２や図１４における左面）から光を投射するものであっても良い。
また、プロジェクタユニット１０，２０は、携帯可能でなくても良い。
また、プロジェクタユニット１０，２０は、筐体１ａに着脱自在のものに限るものではなく、筐体１ａから取り外すことができないものであっても良い。
また、プロジェクタユニット１０，２０の配置位置は、筐体１ａの正面におけるスクリーン１４よりも下側に限ることはなく任意であり、また、筐体１ａの内部に配置されていても良い。
【００６０】
第１及び第２の実施の形態において、プロジェクタユニット１０，２０は、光走査型プロジェクタに限るものではなく、例えば、液晶プロジェクタやＤＬＰプロジェクタなどであっても良い。この場合、１画面分の光を一度に投射するのではなく、１画面を構成する各ライン分の光を１ライン毎に順次投射して、１画面を描画するようにすると良い。なお、この場合、第２の実施の形態においては、切替手段が備える走査部（上下方向に回動自在な反射ミラーと、反射ミラーを回動させる回動駆動部と、を備えた走査部）を別途備えると良い。
【００６１】
第１の実施の形態において、分割手段は、光分割部１１に限ることはなく、導光板１３の幅厚側端面に入射される光を、前側領域Ｒ１に入射される光と、後側領域Ｒ２に入射される光と、に分割することができるものであれば任意である。
また、遮断手段は、シャッター部１２に限ることはなく、分割手段により分割された、前側領域Ｒ１に入射される光と、後側領域Ｒ２に入射される光と、のうちの何れか一方を遮断することができるものであれば任意であり、例えば、スリットの入った円板と、当該円板を回転させる回転駆動部と、等を備えて構成されるものであっても良い。
【００６２】
第１の実施の形態において、導光板１３の幅厚側端面に入射した光は、まず、導光板１３の前面に入射するようにしたが、これに限ることはなく、後面に入射するようにしても良い。
また、第１及び第２の実施の形態において、１回目の垂直走査では前側領域Ｒ１に光を入射し、２回目の垂直走査では後側領域Ｒ２に光を入射するようにしたが、これに限ることはなく、１回目の垂直走査では後側領域Ｒ２に光を入射し、２回目の垂直走査では前側領域Ｒ１に光を入射するようにしてもよい。
【００６３】
第１及び第２の実施の形態において、導光板１３，２３の一方の端面（幅厚側端面）を前後方向に２分割（前側領域Ｒ１と、後側領域Ｒ２と、の２つに分割）して、導光板１３，２３の幅厚側端面に入射される光を、前側領域Ｒ１に光を入射させる状態と、後側領域Ｒ２に光を入射させる状態と、に切り替えるようにしたが、これに限ることはなく、幅厚側端面を前後方向に複数分割して、各領域に光を入射させる状態に切り替えるようにしても良い。すなわち、例えば、幅厚側端面を前後方向に３分割（前側領域と、後側領域と、前側領域と後側領域との間の中間領域と、の３つに分割）して、幅厚側端面に入射される光を、前側領域に光を入射させる状態と、後側領域に光を入射させる状態と、中間領域に光を入射させる状態と、に切り替えるようにしても良い。
【符号の説明】
【００６４】
１  ディスプレイ装置
１０，２０  プロジェクタユニット（投射部（光走査型プロジェクタ））
１１  光分割部（切替手段（分割手段））
１２  シャッター部（切替手段（遮断手段））
１３，２３  導光板
１４  スクリーン
１５  制御部（切替手段）
１０１  光源部
１３１  ミラー面
２０２  走査部（切替手段）
２０２ａ  反射ミラー（切替手段（反射手段））
２０２ｂ  回動駆動部（切替手段（回動駆動手段））
２０３  プロジェクタ用制御部（切替手段）
Ｒ１  前側領域
Ｒ２  後側領域
【図１】
2010243974.tif 000003
【図２】
2010243974.tif 000004
【図３】
2010243974.tif 000005
【図４】
2010243974.tif 000006
【図５】
2010243974.tif 000007
【図６】
2010243974.tif 000008
【図７】
2010243974.tif 000009
【図８】
2010243974.tif 000010
【図９】
2010243974.tif 000011
【図１０】
2010243974.tif 000012
【図１１】
2010243974.tif 000013
【図１２】
2010243974.tif 000014
【図１３】
2010243974.tif 000015
【図１４】
2010243974.tif 000016
【図１５】
2010243974.tif 000017
【図１６】
2010243974.tif 000018
【図１７】
2010243974.tif 000019
【図１８】
2010243974.tif 000020
【図１９】
2010243974.tif 000021
【図２０】
2010243974.tif 000022
【図２１】
2010243974.tif 000023
【図２２】
2010243974.tif 000024